(57)【特許請求の範囲】
【請求項１】
マスク本体と、
前記マスク本体の顔と相対する面の周縁近傍の位置に設けた前記マスク本体の内部と外部の間の通気を遮断する粘着層と、
前記粘着層を被覆する剥離材とを備えた紐なしマスクであって、
前記粘着層は、前記マスク本体の顔と相対する面の周縁近傍の位置に対して、途切れることなく、設けられており、且つ前記粘着層同士の間で、前記マスク本体の装着時に使用者の鼻が当接する鼻当接点近傍の前記粘着層が、装着時に顔の対称軸と平行になる前記マスク本体の対称軸に対して直交する一方側の方向と他方側の方向から前記マスク本体の前記対称軸に近づくにつれて漸次凹むように凹部を設けており、
前記剥離材は、前記マスク本体の前記対称軸を境界として一対になるように、前記粘着層及び前記マスク本体の顔と相対する面を被覆しており、
前記粘着層の前記凹部の位置に、前記剥離材と前記マスク本体の顔と相対する面との間に開口部を設けたことを特徴とする紐なしマスク。
【請求項２】
前記各剥離材は、前記各剥離材の周縁が前記各粘着層の周縁より外側方向に向かって延びるように被覆することで、前記各粘着層の前記周縁から延長後の前記各剥離材の周縁までの部位に剥離材延長部を設けており、
前記剥離材延長部と前記マスク本体の顔と相対する面との間に外側開口部を設けたことを特徴とする請求項１に記載の紐なしマスク。
【発明の詳細な説明】
【技術分野】
【０００１】
本発明は、マスクに関し、特にテープによる貼り付け方式でマスクを顔に対して固定する紐なしマスクに関する。
【背景技術】
【０００２】
従来、ウイルス等の飛沫が、マスク本体と顔の隙間からマスク本体内部へ侵入又はマスク本体内部から外部へ拡散することを抑制するため、マスク本体の顔と相対する面に対してテープを設けて、マスク本体と顔をテープの粘着力により固定するものがあった。
例えば、顔面の口腔、鼻部等を覆う形状、寸法に切断した所要の通気性を有する基布の一側面における周縁部全周に、顔面に密着させるための粘着部を備えた密着マスクがある。具体的には、マスク本体の顔と相対する面の周縁に沿うように、途切れることなく粘着部と、粘着部のみ或いは粘着部を含めたマスク本体の顔と相対する面の全面を被覆する剥離紙とを設けた紐なしマスクである（特許文献１を参照）。
また、多層の濾過布部材を有するマスク本体の顔面に相対する面の周辺部に粘着層を形成した複数のテープを設けて顔面に装着可能としたことを特徴とする、紐なしマスクがある。具体的には、マスク本体の上下左右の各縁近傍の位置に当該各縁ごとマスク本体の顔と相対する面に対して、途切れ途切れに複数のテープを設けた紐なしマスクである（特許文献２を参照）。
【先行技術文献】
【特許文献】
【０００３】
【特許文献１】実開平０３−７５７５８号公報
【特許文献２】実用新案登録３２２３２０１号公報
【発明の概要】
【発明が解決しようとする課題】
【０００４】
特許文献１に記載される紐なしマスクは、テープの粘着層の上に積層している剥離材を剥がす際に、マスクを顔から離した状態で、マスク本体の周縁のいずれかの位置から剥離材を剥がす必要がある。特許文献２に記載される紐なしマスクは、複数のテープについて個々のテープごとに剥離材が粘着層の上に積層されている場合、テープの粘着層の上に積層している剥離材を剥がす際に、マスクを顔から離した状態で、上下左右の各縁近傍の位置に設けた個々のテープの剥離材をそれぞれ一枚ずつ剥がす必要がある。この場合、マスク本体の上縁の中心が顔の中心、即ち鼻背にきちんと沿うように一方の手でマスク本体を押さえて位置決めするのと同時に、他方の手でテープの剥離材を剥がしつつテープ部分を顔に貼付することは困難である。また、手先が不自由な高齢者や爪が短い使用者が、粘着層の上に積層されている剥離材を剥がすことは困難を伴う場合がある。
【０００５】
その結果、特許文献１と特許文献２に記載される紐なしマスクに関しては、使用者は、着用の際、マスク本体が顔の中心にくるように何度も貼ったり剥がしたりする作業を繰り返すことになり、粘着層同士、粘着層とマスク本体同士が粘着する弊害が必然的に生じる問題があった。
【０００６】
また、特許文献１と特許文献２に記載される紐なしマスクに関して、使用者が、一旦顔に貼ったマスクを顔から外す際、テープの粘着力により粘着層の大部分又は一部がマスクから剥がれて顔に対して粘着したり、粘着層が引き裂かれたりする問題があった。さらに、特許文献２に記載される紐なしマスクは、複数のテープについて個々のテープごとに剥離材が粘着層の上に積層されている場合、剥離材の数が４枚になると共に１枚あたりの剥離材の面積が小さくなるため、装着時に剥離材が周囲に散乱するという剥離材の処分の問題があった。
【０００７】
本発明は、上記問題点に鑑みてなされたものであり、剥離作業と貼付作業の効率を向上させると共に、剥離材の処分がし易い、紐なしマスクを提供することを目的とする。
【課題を解決するための手段】
【００１６】
上記課題を解決するための本発明に係る紐なしマスクの特徴構成は、
マスク本体と、
前記マスク本体の顔と相対する面の周縁近傍の位置に設けた前記マスク本体の内部と外部の間の通気を遮断する粘着層と、
前記粘着層を被覆する剥離材とを備えた紐なしマスクであって、
前記粘着層は、前記マスク本体の顔と相対する面の周縁近傍の位置に対して途切れることなく設けられており、且つ鼻当接点近傍の前記粘着層が、前記マスク本体の対称軸に対して直交する一方側の方向と他方側の方向から前記マスク本体の前記対称軸に近づくにつれて漸次凹むように凹部を設けており、
前記剥離材は、前記マスク本体の前記対称軸を境界として一対になるように、前記粘着層及び前記マスク本体の顔と相対する面を被覆しており、
前記粘着層の前記凹部の位置に、前記剥離材と前記マスク本体の顔と相対する面との間に開口部を設けたことを設けた点にある。
【００１７】
本構成の紐なしマスクによれば、途切れなく設けた粘着層が、マスク本体と顔の間に生じる隙間を完全に埋めて当該隙間におけるマスク本体の内部と外部の間の通気を完全に遮断する。その結果、マスク本体の剥離作業と貼付作業の効率を向上させつつ、マスク本体内部と外部の間でのウイルス等の飛沫の侵入と拡散をより抑制することができる。
【００１８】
本発明に係る紐なしマスクにおいて、
前記各剥離材は、前記各剥離材の周縁が前記各粘着層の周縁より外側方向に向かって延びるように被覆することで、前記各粘着層の前記周縁から延長後の前記各剥離材の周縁までの部位に剥離材延長部を設けており、
前記剥離材延長部と前記マスク本体の顔と相対する面との間に外側開口部を設けていることが好ましい。
【００１９】
本構成の紐なしマスクによれば、外側開口部の開口が外部方向に向いて設けられているため、開口が内部方向（マスク本体の中心方向）に向いて設けられている場合と比較して、剥離材が摘まみ易くなると共に、粘着層がマスク本体から剥がれたり、引き裂かれたりすることを回避することができる。その結果、マスク本体の剥離作業と貼付作業の効率がさらに一層向上する。
【図面の簡単な説明】
【００２０】
【図１】図１は、本発明に係る実施形態１の紐なしマスクの裏面図である。
【図２】図２（a）は、本発明に係る実施形態１の紐なしマスクにおいて粘着層が途切れることなく設けられている裏面図である。図２（ｂ）は、本発明に係る実施形態１の紐なしマスクにおける粘着層が途切れ途切れに設けられている裏面図である。
【図３】図３は、本発明に係る実施形態１の紐なしマスクにおけるＡ−Ａ線断面図である。
【図４】図４は、本発明に係る実施形態１の変形例の紐なしマスクの裏面図である。
【図５】図５（a）は、本発明に係る実施形態１の変形例の紐なしマスクにおけるＢ−Ｂ線断面図である。図５（ｂ）は、本発明に係る実施形態１の変形例の紐なしマスクにおけるＣ−Ｃ線断面図である。
【図６】図６は、本発明に係る実施形態２の紐なしマスクの裏面図である。
【図７】図７は、本発明に係る実施形態２の紐なしマスクにおいて粘着層が縫製されている裏面図である。
【図８】図８は、本発明に係る実施形態３の紐なしマスクの裏面図である。
【図９】図９は、本発明に係る実施形態４の紐なしマスクの裏面図である。
【図１０】図１０は、本発明に係る実施形態４の紐なしマスクにおけるＤ−Ｄ線断面図である。
【図１１】図１１は、本発明に係る実施形態５の紐なしマスクの裏面図である。
【図１２】図１２は、本発明に係る実施形態５の紐なしマスクにおいて粘着層に凹部が設けられている裏面図である。
【図１３】図１３は、本発明に係る実施形態５の紐なしマスクにおいて外部開口部をＸ軸方向から観た裏面図である。
【図１４】図１４は、本発明に係る実施形態５の変形例の紐なしマスクの裏面図である。
【図１５】図１５は、本発明に係る実施形態５の変形例の紐なしマスクにおけるE−E線断面図である。
【発明を実施するための形態】
【００２１】
以下、本発明を実施するための形態の一例について図面を用いて説明する。
【００２２】
（本発明の実施形態１）
図１に示すように、本発明に係る実施形態１の紐なしマスク１００は、マスク本体１０と、テープ部材４０とを備える。テープ部材４０は、粘着層２０と、粘着層２０及びマスク本体１０の顔と相対する面を被覆する剥離材３０とを備える。
具体的に、本発明に係る実施形態１の紐なしマスク１００は、マスク本体１０と、マスク本体１０の顔と相対する面の周縁近傍の位置に設けたマスク本体１０の内部と外部の間の通気を遮断する粘着層２０と、粘着層２０を被覆する剥離材３０とを備えた紐なしマスクであって、粘着層２０は、装着時に顔の対称軸と平行になるマスク本体１０の対称軸Ｘを境界として一対であり、各粘着層２０Ａ、２０Ｂは、それぞれマスク本体１０の顔と相対する面上において、マスク本体１０の対称軸Ｘに対して直交する一方側の方向と他方側の方向に、マスク本体１０の対称軸Ｘから所定の間隔をあけて、且つマスク本体１０の顔と相対する面の周縁近傍の位置に設けており、剥離材３０は、マスク本体１０の対称軸Ｘを境界として一対であり、各剥離材３０Ａ、３０Ｂは、それぞれマスク本体１０の顔と相対する面上において、マスク本体１０の対称軸Ｘに対して直交する一方側の方向と他方側の方向に、マスク本体１０の対称軸Ｘから所定の間隔をあけて、且つ粘着層２０及びマスク本体１０の顔と相対する面を被覆しており、剥離材３０とマスク本体１０の顔と相対する面との間に開口部５０を設けたことを特徴とする。
【００２３】
＜マスク本体＞
マスク本体１０は、不織布からなる表面と裏面の間に複数層の不織布フィルター（図示せず）を設けたものである。また、マスク本体１０は、上縁１１近傍の位置であって、且つマスク本体１０の表面と裏面の間に、マスク本体１０と鼻を固定させるためのノーズワイヤー（図示せず）を設けている。
【００２４】
なお、マスク本体１０の素材は、上記不織布以外にも、ポリウレタン系、絹などの素材でもよく、種類を問わない。また、装着性を向上させる目的で、マスク本体１０は、左縁１３と右縁１４からそれぞれ耳に掛けるための輪状の耳掛け部（図示せず）を備えてもよい。
【００２５】
＜粘着層＞
粘着層２０は、マスク本体１０を顔に対して粘着させて、マスク本体１０と顔の間に生じる隙間を埋めてマスク本体１０の内部と外部の間の通気を遮断して、マスク本体１０内部と外部の間でのウイルス等の飛沫の侵入と拡散を抑制するものである。
【００２６】
粘着層２０は、装着時に顔の対称軸と平行になるマスク本体１０の対称軸Ｘを境界として左右それぞれの方向であるＬ方向とＲ方向にそれぞれ一対として構成されており、マスク本体１０には、一対の粘着層２０として、左粘着層２０Ａ、右粘着層２０Ｂが設けられている。
【００２７】
「顔の対称軸」とは、使用者の顔が線対称となる線のことを意味する。
「マスク本体１０の対称軸Ｘ」とは、装着時に使用者の顔が線対称となる線と平行になる、マスク本体１０が線対称となる線のことを意味する。
【００２８】
各粘着層２０Ａ、２０Ｂは、それぞれマスク本体１０の顔と相対する面上において、マスク本体１０の対称軸Ｘに対して直交する一方側の方向と他方側の方向に、マスク本体１０の対称軸Ｘから所定の間隔をあけて、且つマスク本体１０の顔と相対する面の周縁近傍の位置に対して、途切れることなく、設けられている。
途切れなく設けた粘着層２０Ａ、２０Ｂが、マスク本体１０と顔の間に生じる隙間の大部分を埋めてマスク本体１０の内部と外部の間の通気の大部分を遮断する。その結果、マスク本体１０の剥離作業と貼付作業の効率を向上させつつ、マスク本体内部と外部の間でのウイルス等の飛沫の侵入と拡散を抑制することができる。
【００２９】
「マスク本体１０の顔と相対する面」とは、一般的に、マスクの裏側の面のことを意味し、具体的には、マスク本体１０の装着時に、使用者の鼻、口と接する面のことを意味する。
「マスク本体１０の対称軸Ｘに対して直交する一方側の方向と他方側の方向」とは、図１に示すように、装着時のマスク本体１０の左右方向、即ちＹ軸上のＬ方向とＲ方向の各方向を意味する。したがって、マスク本体１０には、一対の粘着層２０として、マスク本体１０の対称軸ＸからＬ方向に左粘着層２０Ａ、マスク本体１０の対称軸ＸからＲ方向に右粘着層２０Ｂが設けられている。
「所定の間隔」とは、マスク本体１０の対称軸Ｘから左右各方向であるＬ方向とＲ方向の各方向へそれぞれ約０．５〜２cm程度を意味する。したがって、マスク本体１０の対称軸Ｘから左右各方向であるＬ方向とＲ方向の各方向へそれぞれ約０．５〜２cm程度は、粘着層２０が設けられていない。そのため、使用者は、鼻当接点２５に対して顔の中心、即ち鼻背を位置付けることで、容易にマスク本体１０の対称軸Ｘと顔の対称軸が合うことになる。なお、「鼻当接点２５」とは、上縁１１近傍で、且つ一対の粘着層２０である各粘着層２０Ａ、２０Ｂ同士の間、即ちマスク本体１０の対称軸Ｘから左右各方向であるＬ方向とＲ方向の各方向へそれぞれ約０．５〜２cm程度の間に位置しており、マスク本体１０の顔と相対する面において、マスク本体１０の装着時に使用者の鼻が当接することが予側される範囲を意味する。したがって、鼻当接点２５には、粘着層が設けられていないため、使用者がマスク本体１０の対称軸Ｘと顔の対称軸が合うように何度も位置合わせをしても、粘着層の大部分又は一部がマスクから剥がれて顔に対して粘着したり、粘着層が引き割かれたりすることがない。
「周縁近傍」とは、装着時のマスク本体１０の上縁１１、下縁１２、左縁１３、右縁１４に沿う、又は上下左右の各縁１１、１２、１３、１４から内側方向（マスク本体の中心方向）へそれぞれ約０．５〜２cm程度を意味する。
「途切れることなく」とは、図２（ａ）に示すように、一体化であることを意味し、具体的には上縁１１、下縁１２、左縁１３近傍の左粘着層２０Ａがひと続きに一体化しており、上縁１１、下縁１２、右縁１４近傍の右粘着層２０Ｂがひと続きに一体化していることを意味する。
【００３０】
なお、一対の粘着層２０である各粘着層２０Ａ、２０Ｂは、マスク本体１０の顔と相対する面上において、マスク本体１０の対称軸Ｘに対して直交する一方側の方向と他方側の方向に、即ちＹ軸上のＬ方向とＲ方向の各方向に向かって、マスク本体１０の対称軸Ｘから所定の間隔をあけて、且つマスク本体１０の顔と相対する面の周縁近傍の位置に対して、途切れ途切れで、設けられていてもよい。
【００３１】
「途切れ途切れ」とは、図２（ｂ）に示すように、粘着層２０Ａは複数からなる粘着層群であり、粘着層２０Ｂは複数からなる粘着層群であることを意味する。したがって、一対の粘着層２０である各粘着層２０Ａ、２０Ｂが、それぞれ途切れている場合は、途切れていない場合と比較して、マスク本体１０の内部と外部の間の通気性は向上する。
【００３２】
なお、粘着層２０Ａ、２０Ｂは、装着時、使用者の鼻に対して対向する端面における上縁１１側の角部を切り欠き加工してもよい。この場合、当該粘着層２０Ａ、２０Ｂの端面に対して、切り欠き加工することで生じた切欠面と剥離材３０との間に新たに隙間が生じるため、使用者は、当該隙間から指を挿入して、鼻当接点２５に近い位置で剥離材３０を摘まみつつ、粘着層２０から剥離材３０を剥がすことができる。その結果、マスク本体１０の剥離作業の効率がより向上する。
【００３３】
なお、粘着層２０は、粘着剤の種類としてシリコーン系、アクリル系、合成ゴム系などのいずれの種類を用いてもよい。
また、粘着層２０は、マスク本体１０に対して粘着剤の粘着力のみで貼り付けしてもよいし、又は下記のようにマスク本体１０に対して粘着剤の粘着力で貼り付けた上で、マスク本体１０と縫い合わすことで、粘着層２０をマスク本体１０に縫製させてもよい。
【００３４】
＜剥離材＞
剥離材３０は、粘着層２０の表面を被覆することで、セパレータとしての役割を果たすと共に、粘着層２０の表面が空気乾燥することで粘着性を喪失することを回避して、粘着層２０の粘着力を維持させるものである。
【００３５】
剥離材３０は、装着時に顔の対称軸と平行になるマスク本体１０の対称軸Ｘを境界として左右それぞれの方向であるＬ方向とＲ方向にそれぞれ一対であり、マスク本体１０には、一対の剥離材３０として左剥離材３０Ａ、右剥離材３０Ｂが設けられている。
なお、各粘着層２０A、２０Ｂがそれぞれ途切れ途切れ、即ち各粘着層２０A、２０Ｂが複数からなる粘着層群の場合でも、一対の剥離材３０は左剥離材３０A、右剥離材３０Bの２枚から構成される。
【００３６】
各剥離材３０Ａ、３０Ｂは、それぞれマスク本体１０の顔と相対する面上において、マスク本体１０の対称軸Ｘに対して直交する一方側の方向と他方側の方向に、マスク本体１０の対称軸Ｘから所定の間隔をあけて、且つ粘着層２０及びマスク本体１０の顔と相対する面を被覆している。
具体的には、左剥離材３０Ａは、マスク本体１０の顔と相対する面上において、マスク本体１０の対称軸Ｘに対して直交して左方向、即ちＹ軸上のＬ方向に向かって、マスク本体１０の対称軸Ｘから所定の間隔をあけて、且つ粘着層２０Ａ及び粘着層２０Ａで囲まれたマスク本体１０の顔と相対する面を被覆している。また、右剥離材３０Ｂは、マスク本体１０の顔と相対する面上において、マスク本体１０の対称軸Ｘに対して直交して右方向、即ちＹ軸上のＲ方向に向かって、マスク本体１０の対称軸Ｘから所定の間隔をあけて、且つ粘着層２０Ｂ及び粘着層２０Ｂで囲まれたマスク本体１０の顔と相対する面を被覆している。
【００３７】
「所定の間隔」とは、マスク本体１０の対称軸Ｘから左右各方向であるＬ方向とＲ方向の各方向へ約０．５〜２ｃｍ程度を意味する。
したがって、マスク本体１０の対称軸Ｘから左右各方向であるＬ方向とＲ方向の各方向へそれぞれ約０．５〜２ｃｍ程度は、剥離材３０が設けられていない。
「粘着層２０及びマスク本体１０の顔と相対する面を被覆」とは、図３に示すように、剥離材３０の外周面と粘着層２０の外周面が面一になるように被覆する場合と、図４、図５に示すように、剥離材３０の周縁が粘着層２０の周縁より外側方向に向かって延びるように被覆して剥離材延長部３１を設ける場合（下記の本発明に係る実施形態１の変形例１００’）との両方を含むことを意味する。
【００３８】
図３に示すように、左剥離材３０Ａの外周面と左粘着層２０Ａの外周面が面一になるように被覆する場合、左剥離材３０Ａとマスク本体１０の顔と相対する面との間に内側開口部５０のみが設けられる。具体的には、図３に示すように、内側開口部５０の開口が内部方向、即ちマスク本体の中心方向に向いて設けられている。
本発明に係る実施形態１の紐なしマスク１００によれば、使用者が、粘着層２０から剥離材３０を剥がす際に、剥離材３０とマスク本体１０の顔と相対する面との間の開口部５０に対して指を挿入して剥離材３０を摘まみつつ、剥離材３０を剥がすことができる。また、一対の粘着層２０A、２０Ｂ同士の間に顔の中心、即ち鼻背を位置付けることで、マスク本体１０の対称軸Ｘと顔の対称軸が一致することになり、容易にマスク本体１０を貼付することができる。さらに、剥離材３０の面積を処分しやすい大きさに保ち、剥離材３０の枚数を必要最小限に抑えることができる。その結果、マスク本体１０の剥離作業と貼付作業の効率が向上する。
【００３９】
＜実施形態１の剥離作業と貼付作業＞
本発明に係る実施形態１である紐なしマスク１００の剥離作業と貼付作業としては、以下の通りである。
まず、使用者は、鼻当接点２５に対して顔の中心、即ち鼻背を位置付けることで、マスク本体の対称軸Ｘと顔の対称軸を合わせる。
次に、一方の手でマスク本体１０を顔に対して押さえつつ、他方の手の指でマスク本体１０の他方側の内側開口部５０から剥離材３０を掴みつつ、Ｙ軸に沿って他方側方向へ引っ張り、他方側の剥離材３０を剥がす。それと同時に、当該一方の手のうちでマスク本体１０を押さえていない指や手のひらで、マスク本体１０の他方側の剥離材３０を剥がした部分に対して、剥離材３０を剥がした粘着層２０と顔との粘着が馴染むように、柔らかく押さえる。
その後、当該他方の手でマスク本体１０を押さえつつ、当該一方の手の指でマスク本体１０の一方側の内側開口部５０から剥離材３０を掴みつつ、Ｙ軸に沿って一方側方向へ引っ張り、一方側の剥離材３０を剥がす。それと同時に、当該他方の手のうちでマスク本体１０を押さえていない指や手のひらで、マスク本体１０の一方側の剥離材３０を剥がした部分に対して、剥離材３０を剥がした粘着層２０と顔との粘着が馴染むように、柔らかく押さえる。
その結果、本発明に係る実施形態１である紐なしマスク１００のマスク本体１０が使用者の顔に対して装着する。
【００４０】
（本発明に係る実施形態１の変形例である紐なしマスク１００’）
図４、図５に示すように、本発明に係る実施形態１の変形例である紐なしマスク１００’は、各剥離材３０Ａ、３０Ｂの周縁が各粘着層２０Ａ、２０Ｂの周縁より外側方向に向かって延びるように被覆することで、各剥離材３０Ａ、３０Ｂについて、各粘着層２０Ａ、２０Ｂの周縁から延長後の各剥離材３０Ａ、３０Ｂの周縁までの部位に剥離材延長部３１Ａ、３１Ｂを設けており、剥離材延長部３１Ａ、３１Ｂとマスク本体１０の顔と相対する面との間に外側開口部５１を設けたものである。図４、図５に示すように、外側開口部５１の開口が外部方向、即ちマスク本体１０から外側方向に向いて設けられている。
【００４１】
具体的に、左剥離材３０Ａの上縁、下縁、左縁が対応する粘着層２０Ａの上縁、下縁、左縁より外側方向に向かって延びるように被覆することにより、図５（ａ）に示すように、左剥離材３０Ａの上縁、下縁、左縁が粘着層２０Ａの上縁、下縁、左縁より延びた部分に左剥離材延長部３１Ａが設けられる。この場合、左剥離材延長部３１Ａがマスク本体１０の上縁１１、下縁１２、左縁１３とＺ軸方向（マスク本体の厚み方向）に沿うことになる。また、右剥離材３０Ｂの上縁、下縁、右縁が対応する粘着層２０Ｂの上縁、下縁、右縁より外側方向に向かって延びるように被覆することにより、図５（ｂ）に示すように、右剥離材３０Ｂの上縁、下縁、右縁が粘着層２０Ｂの上縁、下縁、右縁より延びた部分に右剥離材延長部３１Ｂが設けられる。この場合、右剥離材延長部３１Ｂがマスク本体１０の上縁１１、下縁１２、右縁１４とＺ軸方向（マスク本体の厚み方向）に沿うことになる。
その結果、本発明に係る実施形態１の変形例である紐なしマスク１００’は、左剥離材３０Ａとマスク本体１０の顔と相対する面との間に内側開口部５０及び左剥離材延長部３１Ａとマスク本体１０の顔と相対する面との間に外側開口部５１を設けており、右剥離材３０Ｂとマスク本体１０の顔と相対する面との間に内側開口部５０及び右剥離材延長部３１Ｂとマスク本体１０の顔と相対する面との間に外側開口部５１を設けている。
【００４２】
＜実施形態１の変形例の剥離作業と貼付作業＞
本発明に係る実施形態１の変形例である紐なしマスク１００’の剥離作業と貼付作業としては、以下の通りである。
まず、使用者は、鼻当接点２５に対して顔の中心、即ち鼻背を位置付けることでマスク本体１０の対称軸Ｘと顔の対称軸を合わせる。
次に、一方の手でマスク本体１０を顔に対して押さえつつ、他方の手の指でマスク本体１０の他方側の外側開口部５１から剥離材延長部３１を掴みつつ、Ｙ軸に沿って他方側方向へ引っ張り、他方側の剥離材３０を剥がす。それと同時に、当該一方の手のうちでマスク本体１０を押さえていない指や手のひらで、マスク本体１０の他方側の剥離材３０を剥がした部分に対して、剥離材３０を剥がした粘着層２０と顔との粘着が馴染むように、柔らかく押さえる。
その後、当該他方の手でマスク本体１０を押さえつつ、当該一方の手の指でマスク本体１０の一方側の外側開口部５１から剥離材延長部３１を掴みつつ、Ｙ軸に沿って一方側方向へ引っ張り、一方側の剥離材３０を剥がす。それと同時に、当該他方の手のうちでマスク本体１０を押さえていない指や手のひらで、マスク本体１０の一方側の剥離材３０を剥がした部分に対して、剥離材３０を剥がした粘着層２０と顔との粘着が馴染むように、柔らかく押さえる。
その結果、本発明に係る実施形態１の変形例である紐なしマスク１００’のマスク本体１０が使用者の顔に対して装着する。
【００４３】
なお、「剥離材３０」としては、例えば、樹脂フィルムや紙材などが挙げられる。
「樹脂フィルムの樹脂材料」としては、例えば、ポリオレフィン、ポリエステルが挙げられる。ここで、ポリオレフィンとしては、例えば、低密度ポリエチレン、高密度ポリエチレン、エチレン−酢酸ビニル共重合体（EVA）などが挙げられる。また、ポリエステルとしては、例えば、ポリエチレンテレフタレート（PET）、ポリエチレンナフタレート（PEN）、ポリブチレンテレフタレート（PBT）が挙げられる。
【００４４】
（本発明の実施形態２）
図６、図７に示すように、本発明に係る実施形態２の紐なしマスク２００は、マスク本体１０と、粘着層２０と、粘着層２０及びマスク本体１０の顔と相対する面を被覆する剥離材３０とを備え、縫合材６０を用いてマスク本体１０と粘着層２０を縫い合わしたものである。
【００４５】
図７に示すように、粘着層２０とマスク本体１０を縫合する位置は粘着層２０の幅方向中心に位置するように、且つＸ軸方向とＹ軸方向に沿うように、縫合されている。なお、粘着層２０とマスク本体１０と縫合する位置は、上記に限定されるものでなく、何れの位置でも良い。
【００４６】
縫合材６０である縫合糸の形状としては、モノフィラメント、マルチフィラメントのいずれでもよいが、感染の伝播の観点で、モノフィラメントの方が好ましい。また、「縫合糸の種類」としては、吸収性縫合糸、非吸収性縫合糸のいずれでもよいが、汗などによる分解の観点で、非吸収性縫合糸の方が好ましく、合成素材としては、ナイロン、ポリエステル（ＰＥｓ）、ポリプロピレン（ＰＰ）、ポリフッ化ビニリデン（ＰＶＦ）など、天然素材としては、シルクなどが挙げられる。コートの種類としては、非吸収性では、シリコーン、ポリテトラフルオロエチレン（ＰＴＦＥ）などが挙げられる。
本発明に係る実施形態２の紐なしマスク２００によれば、使用者が一旦顔に貼ったマスクを顔から外す際、テープの粘着力により粘着層２０の大部分又は一部がマスクから剥がれて顔に対して粘着したり、粘着層２０が引き裂かれたりすることを回避し、迅速かつ確実に、マスクの貼り直しができる。その結果、マスク本体１０の剥離作業と貼付作業の効率がより向上する。
【００４７】
（本発明の実施形態３）
図８に示すように、本発明に係る実施形態３の紐なしマスク３００は、一対の粘着層２０である各粘着層２０Ａ、２０Ｂ同士の間で、且つマスク本体１０の装着時に使用者の鼻が当接する鼻当接点２５に対して、マスク本体１０の装着位置を決める位置決めテープ７０を設けたものである。
【００４８】
「位置決めテープ７０」は、両面テープであり、マスク本体１０に対して、テープの粘着力のみで貼り付けしてもよいし、又はテープの粘着力で貼り付けた上で、マスク本体１０と縫い合わして、位置決めテープ７０をマスク本体１０上に縫製させてもよい。縫合糸の形状と種類は、上記同様とする。
【００４９】
本発明に係る実施形態３の紐なしマスク３００によれば、位置決めテープ７０により、マスク本体１０の対称軸Ｘと顔の対称軸が合うように位置決めされるため、使用者は、マスク本体１０の上縁１１の中心が顔の中心、即ち鼻背にきちんと沿うように一方の手でマスク本体１０を押さえて位置決めする作業が不要となる。その結果、使用者は、マスク本体１０が顔に対して粘着した状態で、両手の五指と手のひら全面を使うことにより、実施形態１、２に比較して剥離作業と貼付作業の効率がより一層向上する。
【００５０】
＜実施形態３の剥離作業と貼付作業＞
本発明に係る実施形態３である紐なしマスク３００の剥離作業と貼付作業としては、以下の通りである。
まず、使用者は、各粘着層２０の間の位置決めテープ７０に対して顔の中心、即ち鼻背を位置付けることで、マスク本体１０の対称軸Ｘと顔の対称軸を合わせる。その結果、位置決めテープ７０の粘着力により、マスク本体１０が顔に対して部分的に粘着される。
次に、一方の手の指でマスク本体１０の一方側の内側開口部５０から剥離材３０を掴みつつ、Ｙ軸に沿って一方側方向へ引っ張り、一方側の剥離材３０を剥がす。それと同時に、他方の手の全体を使って、マスク本体１０の一方側の剥離材３０を剥がした部分に対して、剥離材３０を剥がした粘着層２０と顔との粘着が馴染むように、柔らかく押さえる。
その後、他方の手の指でマスク本体１０の他方側の内側開口部５０から剥離材３０を掴みつつ、Ｙ軸に沿って他方側方向へ引っ張り、他方側の剥離材３０を剥がす。それと同時に、一方の手の全体を使って、マスク本体１０の他方側の剥離材３０を剥がした部分に対して、剥離材３０を剥がした粘着層２０と顔との粘着が馴染むように、柔らかく押さえる。
その結果、本発明に係る実施形態３である紐なしマスク３００のマスク本体１０が使用者の顔に対して装着する。
【００５１】
（本発明の実施形態４）
図９、図１０に示すように、本発明に係る実施形態４の紐なしマスク４００は、各剥離材３０Ａ、３０Ｂに関して、それぞれマスク本体１０の顔と相対する面上において、マスク本体１０の対称軸Ｘに対して直交する一方側の方向と他方側の方向、即ちＹ軸上のＬ方向とＲ方向の各方向に向かって、内側開口部５０の入口から所定の長さのスリット８０を設けたものである。なお、「所定の長さ」とは、指で剥離材３０を掴める程度、即ち約０．５〜２ｃｍ程度を意味する。
【００５２】
本発明に係る実施形態４の紐なしマスク４００によれば、剥離材においてスリットを設けた分だけ、剥離材が摘まみ易くなる。その結果、マスク本体の剥離作業と貼付作業の効率がさらに一層向上する。
【００５３】
＜実施形態４の剥離作業と貼付作業＞
本発明に係る実施形態４である紐なしマスク４００の剥離作業と貼付作業としては、以下の通りである。
まず、使用者は、鼻当接点２５に対して顔の中心、即ち鼻背を位置付けることで、マスク本体１０の対称軸Ｘと顔の対称軸を合わせる。
次に、一方の手でマスク本体１０を顔に対して押さえつつ、他方の手の指でマスク本体１０の他方側のスリット８０から剥離材３０を掴みつつ、Ｙ軸に沿って他方側方向へ引っ張り、他方側の剥離材３０を剥がす。それと同時に、当該一方の手のうちでマスク本体１０を押さえていない指や手のひらで、マスク本体１０の他方側の剥離材３０を剥がした部分に対して、剥離材３０を剥がした粘着層２０と顔との粘着が馴染むように、柔らかく押さえる。
その後、当該他方の手でマスク本体１０を押さえつつ、当該一方の手の指でマスク本体１０の一方側のスリット８０から剥離材３０を掴みつつ、Ｙ軸に沿って一方側方向へ引っ張り、一方側の剥離材３０を剥がす。それと同時に、当該他方の手のうちでマスク本体１０を押さえていない指や手のひらで、マスク本体１０の一方側の剥離材３０を剥がした部分に対して、剥離材３０を剥がした粘着層２０と顔との粘着が馴染むように、柔らかく押さえる。
その結果、本発明に係る実施形態４である紐なしマスク４００のマスク本体１０が使用者の顔に対して装着する。
【００５４】
（本発明の実施形態５）
図１１から図１３に示すように、本発明に係る実施形態５の紐なしマスク５００は、粘着層２０が、マスク本体１０の顔と相対する面の周縁近傍の位置に対して途切れることなく設けられており、且つ鼻当接点２５近傍の粘着層２０が、マスク本体１０の対称軸Ｘに対して直交する一方側の方向と他方側の方向からマスク本体１０の対称軸Ｘに近づくにつれて漸次凹むように凹部２６を設けている。また、剥離材３０が、マスク本体１０の対称軸Ｘを境界として一対になるように、粘着層２０及びマスク本体１０の顔と相対する面を被覆しており、粘着層２０の凹部２６の位置に、剥離材３０とマスク本体１０の顔と相対する面との間に外側開口部５１を設けている。具体的には、図１３に示すように、外側開口部５１の開口が外部方向、即ちマスク本体１０の外側方向に向いて設けられている。
なお、図１４、図１５は、本発明に係る実施形態５の変形例５００’の紐なしマスクの裏面図、E−E線断面図であり、本発明に係る実施形態１の変形例である紐なしマスク１００’と同様の内容である。
【００５５】
実施形態５の「途切れることなく」とは、図１１、図１２に示すように、左粘着層２０Ａ、右粘着層２０Ｂがひと続きに一体化していることを意味し、具体的には左粘着層２０Ａ、右粘着層２０Ｂが、マスク本体１０の顔と相対する面の周縁である、上縁１１、下縁１２、左縁１３、右縁１４の各縁近傍の位置に対して、ひと続きに一体的に設けられている。
凹部２６は、粘着層２０が鼻孔を含む鼻の外周面を包み込むように、鼻当接点２５の周囲近傍の位置、即ち鼻当接点２５の外形線から周方向へ約０．５〜２ｃｍ程度離間した位置に設けている。
凹部２６の形状は、特に問わないが、鼻当接点２５近傍の左粘着層２０Ａが左方向であるＬ方向から、鼻当接点２５近傍の右粘着層２０Ｂが右各方向であるＲ方向からそれぞれがマスク本体１０の対称軸Ｘに近づくにつれて、マスク本体１０の中心方向（上縁１１、下縁１２、左縁１３、右縁１４の各縁で囲まれた範囲の中心）に向かって、漸次凹むように形成されている。
実施形態５の紐なしマスク５００における剥離材３０は、装着時に顔の対称軸と平行になるマスク本体１０の対称軸Ｘを境界として左右それぞれの方向であるＬ方向とＲ方向にそれぞれ一対であり、マスク本体１０には、一対の剥離材３０として左剥離材３０Ａ、右剥離材３０Ｂが設けられている。
【００５６】
＜実施形態５の剥離作業と貼付作業＞
本発明に係る実施形態５である紐なしマスク５００の剥離作業と貼付作業としては、以下の通りである。
まず、使用者は、各粘着層２０の間の鼻当接点２５に対して顔の中心、即ち鼻背を位置付けることで、マスク本体の対称軸Ｘと顔の対称軸を合わせる。
次に、一方の手でマスク本体１０を顔に対して押さえつつ、他方の手の指でマスク本体１０の他方側の外側開口部５１から剥離材３０を掴みつつ、Ｙ軸に沿って他方側方向へ引っ張り、他方側の剥離材３０を剥がす。それと同時に、当該一方の手のうちでマスク本体１０を押さえていない指や手のひらで、マスク本体１０の他方側の剥離材３０を剥がした部分に対して、剥離材３０を剥がした粘着層２０と顔との粘着が馴染むように、柔らかく押さえる。
その後、当該他方の手でマスク本体１０を押さえつつ、当該一方の手の指でマスク本体１０の一方側の外側開口部５１から剥離材３０を掴みつつ、Ｙ軸に沿って一方側方向へ引っ張り、一方側の剥離材３０を剥がす。それと同時に、当該他方の手のうちでマスク本体１０を押さえていない指や手のひらで、マスク本体１０の一方側の剥離材３０を剥がした部分に対して、剥離材３０を剥がした粘着層２０と顔との粘着が馴染むように、柔らかく押さえる。
その結果、本発明に係る実施形態５である紐なしマスク５００のマスク本体１０が使用者の顔に対して装着する。
【産業上の利用可能性】
【００５７】
本発明に係る紐なしマスクは、ガーゼマスク、サージカルマスク、Ｎ-９５マスクなど、粘着材として粘着層を設けることが可能なあらゆるマスクにおいて利用可能である。
【符号の説明】
【００５８】
１００          実施形態１の紐なしマスク
１００’        実施形態１の紐なしマスクの変形例
２００          実施形態２の紐なしマスク
３００          実施形態３の紐なしマスク
４００          実施形態４の紐なしマスク
１０            マスク本体
１１            上縁
１２            下縁
１３            左縁
１４            右縁
２０            一対の粘着層
２０Ａ          左粘着層
２０Ｂ          右粘着層
２５            鼻当接点
２６            凹部
３０            一対の剥離材
３０Ａ          左剥離材
３０Ｂ          右剥離材
３１Ａ          左剥離材延長部
３１Ｂ          右剥離材延長部
４０            テープ部材
５０            内側開口部
５１            外側開口部
６０            縫合材
７０            位置決めテープ
８０            スリット
Ｘ軸          マスク本体の対称軸
Ｙ軸          マスク本体の対称軸に対して直交する軸
【要約】
【課題】剥離材とマスク本体の顔と相対する面との間に開口部を設けたことで、剥離作業と貼付作業の効率を向上させる。
【解決手段】
粘着層２０は、マスク本体１０の顔と相対する面の周縁近傍の位置に対して、途切れることなく、設けられており、且つ鼻当接点２５近傍の粘着層２０が、マスク本体１０の対称軸Ｘに対して直交する一方側の方向と他方側の方向からマスク本体１０の対称軸Ｘに近づくにつれて漸次凹むように凹部２６を設けており、
剥離材３０は、マスク本体１０の対称軸Ｘを境界として一対になるように、粘着層２０及びマスク本体１０の顔と相対する面を被覆しており、
粘着層２０の凹部２６の位置に、剥離材３０とマスク本体１０の顔と相対する面との間に開口部５１を設ける。
【選択図】図１１【図１】
0006875653.tif 000002
【図２（ａ）】
0006875653.tif 000003
【図２（ｂ）】
0006875653.tif 000004
【図３】
0006875653.tif 000005
【図４】
0006875653.tif 000006
【図５（ａ）】
0006875653.tif 000007
【図５（ｂ）】
0006875653.tif 000008
【図６】
0006875653.tif 000009
【図７】
0006875653.tif 000010
【図８】
0006875653.tif 000011
【図９】
0006875653.tif 000012
【図１０】
0006875653.tif 000013
【図１１】
0006875653.tif 000014
【図１２】
0006875653.tif 000015
【図１３】
0006875653.tif 000016
【図１４】
0006875653.tif 000017
【図１５】
0006875653.tif 000018